(57)【要約】【課題】  本発明は、指先の回転運動だけではなく、一台で指先の回転運動、弦を弾く運動、伸縮性ゴム紐を引っ張る運動、スポンジ等の弾力材からなる把持部を握る運動等の多様な運動を促すための、手、指先の機能回復用トレーニング器具を提供することを課題とする。【解決手段】  基台の上部に円環状の枠体を連設し、枠体の内側に凹状の溝を形成し、円盤内に数箇所の指穴を貫通させた円盤体の円周縁を枠体の凹状の溝に挿入し、円盤は円環の枠内を回転自在にした。基台中央には、表面から裏面に長方形状に貫通させた空洞部を設け、空洞部の上縁と下縁に複数の留め部を設け、留め部に弦糸を緊張させて架橋させる。基台両側面に湾曲部を設け、その両端に取付けた留め部に伸縮性ゴム紐を架橋させる。基台下端に、溝を設けた円柱状のスポンジ等の弾力材からなる把持部を、着脱自在にすることを特徴とする指先トレーニング器具である。【選択図】図１
2008142495.tif 000002
【特許請求の範囲】
【請求項１】
基台の上部に円環状の枠体を連設し、枠体の内側に凹状の溝を形成し、円盤内に数箇所の指穴を貫通させた円盤体の円周縁を枠体の凹状の溝に挿入し、円盤は円環の枠内を回転自在にした事を特徴とする指先トレーニング器具。
【請求項２】
基台と、少なくとも２つ以上の穴を有する円盤体と基台に設けられた円環状の枠体と、枠体に設けられた円盤体を取付けられる円盤取付部より構成され、円盤を円環状の枠内で自在に回転させられることを特徴とする指先トレーニング器具。
【請求項３】
基台中央には、表面から裏面に貫通させた方形状の空洞部を設け、該空洞部に複数の弦糸を架橋させた請求項１又は２記載の指先トレーニング器具。
【発明の詳細な説明】
【技術分野】
【０００１】  本発明は、手、指先の運動をする時に手軽に用いて、効率よく脳の活性化、身体能力の向上をサポートする指先トレーニング器具に、関するものである。
【背景技術】
【０００２】  従来の指先運道具に用いる器具は、円盤状の板に窪み穴を設け一部を回転自在にした（特許文献１）や、動きをサポートする為に、本体の一部にモーターを取付たもの（特許文献２）がある。
【特許文献１】特開平１０−１４６４０１
【特許文献２】特開平２００６−８９４６８
【発明の開示】
【発明が解決しようとする課題】
【０００３】  しかしながら、以上の技術によれば、それぞれの器具の目的に合った単一の決まった動作しか出来なかった。
そこで、この発明は、指先の回転運動だけではなく、本発明の器具一台で指先の回転運動、弦を弾く運動、伸縮性ゴム紐を引っ張る運動、スポンジ等の弾力材を握る運動等の多様の運動を促す為の、手、指先機能回復用トレーニング器具を提供することを目的とする。
【課題を解決するための手段】
【０００４】  以上の課題を解決するために、基台の上部に、円環状の枠体を連設し、枠体の内側に凹状の溝を形成し、円盤内に数箇所の指穴を貫通させた円盤体の円周縁を枠体の凹状の溝に挿入し、円盤は円環の枠内を回転自在にする。基台中央には、表面から裏面に長方形状に貫通させた空洞部を設け、空洞部の上縁と、下縁に複数の留め部を設け、留め部に弦糸を緊張させて架橋させる。基台両側面に湾曲部を設け、その両端に取付けた留め部に伸縮性ゴム紐を架橋させる。基台下端に、溝を設けた円柱状の弾力材からなる把持部を着脱自在に設けることを特徴とする指先トレーニング器具である。
【発明の効果】
【０００５】  本発明は、一台で、手・指先を使って、回す、握る、弾く、引っ張る等の運動を手軽に楽しみながらでき、リハビリ等の機能回復にも効果的である。又、スポンジ等の弾力材からなる把持部を握る運動をする事により握力が向上し、その把持部を握って力を入れたり緩めたりしながら、同時にもう片方の指先を円盤体の指穴に入れて指先を回転運動させて左右違う動きをする事により脳の活性化を促進することができる。又、空洞部に取付けた弦を弾いて奏でる音により、癒し効果も期待できる。手、指先を動かすことにより脳の活性化に役立つ指先トレーニング器具である。
【発明を実施するための最良の形態】
【０００６】  以下、本発明の実施の形態についてする。
（イ）扁平体の基台（１）の上部に円環状の枠体（２）を連設する。基台（１）の大きさは、一般的な成人が片手で持てる大きさが望ましい。
（ロ）円環状の枠体（２）の内側に凹状の溝（３）を形成し、円盤内に数箇所の指穴（５）を貫通させた円盤体（４）の円周縁を枠体（２）の凹状の溝（３）に挿入し、円盤体（４）は、枠体（２）の枠内を回転自在にする。尚、指穴（５）は、様々な人の指に適合するよう異なる大きさであることが望ましい、もしくは、指穴（５）の大きさは、指の太い人でも入るように、３ｃｍ程度の大きな指穴（５）でも良い。
（ハ）基台（１）の中央に表面から裏面に貫通させた長方形状の空洞部（６）を設け、空洞部（６）の上縁と下縁にそれぞれ複数の留め部（７）を設け、留め部（７）に、弦（８）を緊張させて架橋させ、基台（１）の両側面に湾曲部（９）を設け、その両端に取付けた留め部（１０）に伸縮性ゴム紐（１１）を架橋させる。
（ニ）円柱状のスポンジ等の弾力材からなる把持部（１２）の上面に長手方向に把持部溝（１３）を設ける。
（ホ）台座の下端に把持部（１２）の把持部溝（１３）を接脱自在に取付ける。【０００７】  尚、円盤取付部の形状は、円盤体（４）に凹部（１４）を設け、枠体に凸部（１５）を設けても良い。【０００８】  本発明は、以上のような構成で、本発明を使用する時は、基台（１）を片手で保持し、もう一方の手の指先を円盤体（４）に開けた指穴（５）に入れて回転させる。又は、基台（１）を左右の手で挟持して、指穴（５）に入れて回転させる。基台（１）を片手で保持し、もう一方の手の指先で弦（８）を弾いたり、湾曲部（９）に取付けた伸縮性ゴム紐（１１）を引っ張る運動や、基台（１）の下端に取付けた、スポンジ等の弾力材からなる把持部（１２）を握る運動ができる、運動機能回復効果、身体能力向上、脳の活性化にも役立つ、指先トレーニング器具である。
【実施例１】
【０００９】  図６に示すように、基台の外周面に、少なくとも８ヶ所に環状留め部（１６）を設け、伸縮性ゴム紐（１７）を取付、基台とゴム紐の間に指を挿入し、ゴム紐の伸縮性を利用して指先の筋肉のトレーニングを行なう。
【実施例２】
【００１０】  枠体の溝（３ｂ）の中央に仕切板（１８）を設け、仕切板（１８）の両側に溝（３ｂ）を形成し、その溝（３ｂ）に回転自在の円盤体（４ｂ）を設ける。基台の円盤体（４ｂ）の窪み指穴（１９）に指先を挿入し、両側から両手で円盤体（４ｂ）を挟持し、それぞれの円盤体を右へ、左へ、正逆方向等に回転させて指先の動きに変化をつける事により、脳の活性化、指先のトレーニングを行なう。又、円盤体（４ｂ）の指穴は、裏面まで貫通させないで、表面に窪みを付ける形状でも良い。
【図面の簡単な説明】
【００１１】
【図１】  本発明の斜視図
【図２】  本発明図１のＡ−Ａ線断面図
【図３】  本発明の使用状態を示す斜視図
【図４】  本発明の把持部斜視図
【図５】  本発明図１のＡ−Ａ線断面図
【図６】  本発明の他の実施例を示す斜視図
【図７】  本発明の他の実施例図６のＢ−Ｂ線断面図
【符号の説明】
【００１２】  １    基台
２ａ  枠体
２ｂ  枠体
３ａ  溝
３ｂ  溝
４ａ  円盤体
４ｂ  円盤体
５    指穴
６    空洞部
７    留め部
８    弦
９    湾曲部
１０    留め部
１１    伸縮性ゴム紐
１２    把持部
１３    把持部溝
１４    凹部
１５    凸部
１６    環状留め部
１７    伸縮性ゴム紐
１８    仕切板
１９    窪み指穴
【図１】
2008142495.tif 000003
【図２】
2008142495.tif 000004
【図３】
2008142495.tif 000005
【図４】
2008142495.tif 000006
【図５】
2008142495.tif 000007
【図６】
2008142495.tif 000008
【図７】
2008142495.tif 000009